(57)【要約】【課題】遠赤外線放射物質として炭素材を用い、かつ、リング形状の装身具として高い特性を備えた装身具を提供する。【解決手段】この装身具１は、複数の珠２、２、・・・を数珠繋ぎにして形成したリング形状のものにおいて、少なくとも１個の珠２は結晶構造の炭素焼成体である。珠２は、軽量であり、安全性が高く、結晶構造であるため摩耗又は破損し難い。また、多量の遠赤外線を放射することで、装身具１を装着した者の健康増進に寄与する。【選択図】図１
2008200491.tif 000002
【特許請求の範囲】
【請求項１】
複数の珠を数珠繋ぎにして形成したリング形状の装身具において、
少なくとも１個の珠は結晶構造の炭素焼成体であることを特徴とする装身具。
【請求項２】
請求項１に記載された装身具において、
前記炭素焼成体は、炭素粉にバインダを加えて成形した塊を酸素が欠乏した状態で加熱し、バインダを揮発させて焼成したものであることを特徴とする装身具。
【請求項３】
請求項１又は２に記載された装身具において、
前記炭素焼成体はポーラス状であることを特徴とする装身具。
【請求項４】
請求項３に記載された装身具において、
前記炭素焼成体は銀を含有することを特徴とする装身具。
【請求項５】
請求項３又は４に記載された装身具において、
前記炭素焼成体はフタロシアニンを含有することを特徴とする装身具。
【請求項６】
請求項１乃至５のいずれかに記載された装身具において、
前記珠には突起が設けられていることを特徴とする装身具。
【発明の詳細な説明】
【技術分野】
【０００１】
本発明は、ブレスレット、ネックレス、アンクレット、数珠、時計バンドなどのリング形状の装身具に関する。
【背景技術】
【０００２】
従来より、ブレスレット、ネックレス、アンクレット、数珠、時計バンドなどのリング形状の装身具として、装飾とともに健康や美容を目的とするものが各種使用され、また、提案されている。このような装身具の珠には、磁気発生物質、マイナスイオン発生物質、又は遠赤外線放射物質などが含有されているとしている。例えば、特許文献１には、炭化珪素、窒化珪素、窒化チタン、黒曜石などを遠赤外線放射物質としたものが記載されている。
【０００３】
【特許文献１】実開平７−１１９１９号公報
【発明の開示】
【発明が解決しようとする課題】
【０００４】
しかし、遠赤外線放射物質として炭素材が知られており、本願発明者は、炭素材が軽量であること、人体を形成する有機物の構成物質と同じであるため人体への安全性が高いことなどの点からリング形状の装身具に好適であることに着目し、鋭意研究の結果、以下に詳述する装身具を案出するに至った。
【０００５】
本発明は、係る事由に鑑みてなされたものであり、その目的は、遠赤外線放射物質として炭素材を用い、かつ、リング形状の装身具として高い特性を備えた装身具を提供することにある。
【課題を解決するための手段】
【０００６】
上記目的を達成するために、請求項１に記載の装身具は、複数の珠を数珠繋ぎにして形成したリング形状の装身具において、少なくとも１個の珠は結晶構造の炭素焼成体であることを特徴とする。
【０００７】
請求項２に記載の装身具は、請求項１に記載された装身具において、前記炭素焼成体は、炭素粉にバインダを加えて成形した塊を酸素が欠乏した状態で加熱し、バインダを揮発させて焼成したものであることを特徴とする。
【０００８】
請求項３に記載の装身具は、請求項１又は２に記載された装身具において、前記炭素焼成体はポーラス状であることを特徴とする。
【０００９】
請求項４に記載の装身具は、請求項３に記載された装身具において、前記炭素焼成体は銀を含有することを特徴とする。
【００１０】
請求項５に記載の装身具は、請求項３又は４に記載された装身具において、前記炭素焼成体はフタロシアニンを含有することを特徴とする。
【００１１】
請求項６に記載の装身具は、請求項１乃至５のいずれかに記載された装身具において、前記珠には突起が設けられていることを特徴とする。
【発明の効果】
【００１２】
本発明によれば、軽量であり、安全性が高く、摩耗又は破損し難く、多量の遠赤外線を放射するリング形状の炭素材の装身具とすることができる。
【発明を実施するための最良の形態】
【００１３】
以下、本発明を実施するための最良の形態を図面を参照しながら説明する。図１は本発明の実施形態に係る装身具１の概略平面図である。この装身具１は、複数の珠２、２、・・・を数珠繋ぎにして形成したリング形状のものである。すなわち、各々の珠２には紐（図示せず）を通す貫通孔（図示せず）が設けられ、全ての珠２、２、・・・の貫通孔を通った紐は、端が結ばれてリングを成している。
【００１４】
珠２は、高密度で整った結晶構造の炭素焼成体である（全体が一体化している）。この炭素焼成体は、以下のようにして製造することができる。すなわち、黒鉛、又は竹炭などの炭化物の炭素粉にフェノール系接着剤、ピッチ又はタールなどのバインダを５重量％程度加えて固め、所定の塊（例えば方形もの）に加圧成形する。そして、酸素が欠乏した状態で加熱し、２０００〜３０００℃程度で焼成する。この状態で、原料の炭素粉同士は結合し結晶化（黒鉛化）する。なお、フェノール成分、ピッチ又はタールは昇温途中の約１２００℃程度で揮発している。その後、加熱を止め、珠２の形状に加工する。この炭素焼成体は、バインダが揮発しているので、ほぼ１００％（９９％以上）が炭素材となっている。
【００１５】
珠２は炭素材であるので、極めて軽量であり、人体を形成する有機物の構成物質と同じであるため人体への安全性が高い。その上、結晶構造の炭素焼成体は、結晶構造であるために、炭素材でありながら摩耗又は破損し難い。珠２は、隣接する珠２と接触し擦れ合う状態で使用され、また、落下等で不意に何かに衝突することもあるが、それらに対して十分な物理的強度を有している。また、珠２はほぼ１００％が炭素材であるので、外部の熱や光などの形で吸収したエネルギにより多量の遠赤外線を放射し、装身具１を装着した者の皮下組織、血管などに作用して血流を改善し、もって健康増進に寄与する。また、炭素材は脳のα波を増加させる効果があることが本願発明者により確認されており、それによっても健康増進効果が期待できる。
【００１６】
下記表１には、ネックレスとして装身具１を装着し、首の温度とネックレスの温度をサーモグラフィで測定した実験結果を示している。ネックレスを装着後、首は徐々に温度が上昇し、一方、ネックレスは首の温度よりも１℃程度高い温度で上昇している。これは、首の部分の血流がネックレスにより改善されることで温度が上昇し、その上昇を受けてネックレスの温度が上昇したと考えられる。また、ネックレスの温度が上昇すると放射する遠赤外線の量も多くなるため、相乗効果が生じていると考えられる。
【００１７】
【表１】
2008200491.tif 000003
【００１８】
珠２の表面は、細かな摩耗や欠損を防止するために、水性アクリル等でコーティングするのが望ましい。珠２は黒色であり、そのままでも十分に装飾性を有するが、コーティングにより光沢の有無、着色などが可能である。また、ＤＬＣ（ダイヤモンドライクカーボン）薄膜でコーティングする方式は、プラズマによる炭素イオンを注入して形成したＤＬＣ薄膜と炭素焼成体の密着性が良く、かつ、ＤＬＣ薄膜が極めて硬質であるため、細かな摩耗や欠損を防止する点で非常に望ましい。
【００１９】
なお、珠２の形状は例えば球形、円板形、碁石形又は紡錘形であるが、限定はされない。珠２の大きさや装身具１に使用される数は、嗜好又は使用形態（ブレスレット、ネックレス、アンクレット、数珠、時計バンドなど）に応じて任意に決められる。例えば、珠２の大きさは６ｍｍ、１０ｍｍなどである。また、大きさの異なる珠２、２、・・・で装身具１を形成してもよい。
【００２０】
珠２の炭素焼成体は、ポーラス状とすることも可能である。ポーラス状の炭素焼成体は、炭化物自体ほどではないが、多くの空隙を有する（多孔質である）。具体的には、原料の炭素粉にバインダを加えて固めるときに、繊維状又は粒子の集合状にすることでポーラス状とすることができる。
【００２１】
ポーラス状の炭素焼成体は、汗自体や汗の臭い等を吸着（脱臭作用）することができ、装身具１の装着を快適なものとする。なお、ポーラス状の炭素焼成体は、ポーラス状でないものよりも若干物理的強度が低い。しかし、珠２として有すべき前述の物理的強度は十分に有している。
【００２２】
ポーラス状の炭素焼成体は、銀を含有する（例えば約１重量％）ことが望ましい。人間の汗の臭いは、主に、雑菌が汗を分解することにより生じることが知られている。銀は、その抗菌作用により雑菌を抑えて吸着した汗から臭いが生じるのを防止することができる。また、炭素焼成体の表面の銀が皮膚の雑菌に対して直接抗菌作用を及ぼす効果もある。なお、銀は、溶液に溶解又は分散させ、含浸させることにより炭素焼成体に含ませることができる。
【００２３】
また、ポーラス状の炭素焼成体は、フタロシアニンを含有する（例えば約１重量％）のが望ましい。フタロシアニンは、臭いの成分の酸化反応を触媒することで、消臭作用を発揮する。炭素焼成体は、フタロシアニンを含有することで、空隙に吸着した臭いの成分を別の物質に変えることができるので、脱臭作用の飽和を防ぎつつ、それに加えて消臭作用も奏することができる。このフタロシアニンは、常温でもよく反応し、サイクル反応を行うので寿命が長い。これにより、長い期間、脱臭機能を維持することができる。なお、フタロシアニンは、例えば金属フタロシアニンポリカルボン酸（具体的には、テトラカルボン酸コバルトフタロシアニン、テトラカルボン酸鉄フタロシアニン、オクタカルボン酸コバルトフタロシアニン、又はオクタカルボン酸鉄フタロシアニン等）などの化合物として存在する。また、フタロシアニンの化合物は、溶液に溶解又は分散させ、含浸させることにより炭素焼成体に含ませることができる。
【００２４】
なお、装身具１を形成する珠２、２、・・・のいくつかをポーラス状の炭素焼成体とし、残りをポーラス状でない炭素焼成体とすることも可能である。また、装身具１を形成する珠２、２、・・・全てが炭素焼成体であることが望ましいが、幾つかを他の素材（例えばプラチナ）とすることも可能である。
【００２５】
また、装身具１を形成する珠２、２、・・・のいくつか又は全てに突起を設けることができる。この突起は、結晶構造の炭素焼成体として一体に形成されているので破損し難い。図２、図３はその２つの例である珠２Ａ、２Ｂを示すものであって、それぞれの（ａ）は拡大概略平面図、（ｂ）は拡大概略側面図である。珠２Ａ又は２Ｂは、突起による刺激を与えたい人体の部分に当接するように装身具１に組み込まれる。
【００２６】
珠２Ａは球形のものであり、貫通孔３Ａを有し、それを中心軸とした円周部分に複数の突起４Ａ、４Ａ、・・・を有している。珠２Ａは、貫通孔３Ａを通った紐の周りをどのように回転しても突起４Ａ、４Ａ、・・・のいずれかが人体の皮膚に接触し、皮下組織に刺激を与えて血流を更に改善することができる。また、人体の皮膚との接触面積が小さいので、夏場においては汗が溜まりにくく、装着による不快感の可能性を低減することができる。珠２Ａは、紡錘形その他回転体の形状のものにも適宜変形して適用可能である。
【００２７】
珠２Ｂは平面視円形の円板形であり、側面を貫いた貫通孔３Ｂを有し、底面の一方に突起４Ｂを有している。珠２Ｂは、一方の突起４Ｂの有る底面を人体側にしておくと、突起４Ｂが人体の皮膚に接触し、皮下組織に刺激を与えて血流を更に改善することができる。また、人体の皮膚との接触面積が小さいので、夏場においては汗が溜まりにくく、装着による不快感の可能性を低減することができる。また、突起４Ｂによる刺激が欲しくないときは、他方の突起４Ｂの無い底面を人体側にすることができる。珠２Ｂは、碁石形その他略平板の形状のものにも適宜変形して適用可能である。
【００２８】
以上、本発明の実施形態に係る装身具について説明したが、本発明は、実施形態に記載したものに限られることなく、特許請求の範囲に記載した事項の範囲内でのさまざまな設計変更が可能である。例えば、図４に示すように、複数の珠を四角板の形状とし、炭素焼成体の珠２Ｃを中央に列設し、その列を挟んで他の素材（例えばステンレス）の珠２Ｃ’、２Ｃ’を両側に列設し、各々の貫通孔３Ｃにビス（図示せず）を通して複数の珠２Ｃ、２Ｃ、・・・及び珠２Ｃ’、２Ｃ’、・・・を結合することにより、装身具である時計バンドを構成することもできる。
【図面の簡単な説明】
【００２９】
【図１】本発明の実施形態に係る装身具の概略平面図である。
【図２】同上の装身具を構成する珠の変形例を示すものであって、（ａ）は拡大概略平面図、（ｂ）は拡大概略側面図である。
【図３】同上の装身具を構成する珠の他の変形例を示すものであって、（ａ）は拡大概略平面図、（ｂ）は拡大概略側面図である。
【図４】同上の装身具の変形例を示す概略部分図である。
【符号の説明】
【００３０】
１    装身具
２、２Ａ、２Ｂ、２Ｃ    珠
【図１】
2008200491.tif 000004
【図２】
2008200491.tif 000005
【図３】
2008200491.tif 000006
【図４】
2008200491.tif 000007